(57)【特許請求の範囲】
【請求項１】
矩形状に形成された外枠の下方部に板状部を設けて打球発射装置、発射レ―ル、合流シュート樋を取り付けると共に、裏面側に遊技盤が装着され且つ遊技盤の遊技領域が透視できる開口部および該開口部を覆う透明部材を有する遊技盤取付枠体と、打球発射用の操作ハンドルが設けられ且つ上球受皿および下球受皿が設けられた前面板とを、前記外枠の前面一側であって、その上下に開閉自在に取り付け、さらに貯留タンク、球誘導樋、賞球払出装置等の裏部品が装着された機構板を外枠の一側に開閉可能に取り付けるようにしたことを特徴とするパチンコ遊技機。
【請求項２】
矩形状に形成された外枠の下方部に板状部を設け、該板状部に発射レールと該発射レールの発射位置に打球を供給し打球を発射させる打球発射装置とファール球および零れ球を受け入れる合流シュート樋とを取り付けると共に、
前記外枠の前面一側であって、その上部には遊技盤取付枠体を開閉自在に取り付け、該遊技盤取付枠体は、裏面側に遊技盤が装着され、かつ遊技盤の遊技領域が透視できる開口部および該開口部を覆う透明部材を有し、
前記外枠の前面一側であって、その下部には前面板を開閉自在に取り付け、該開閉板には、打球発射用の操作ハンドルを設けると共に、打球を貯留し前記打球発射装置へと打球を供給する球受皿を設け、
さらに貯留タンク、球誘導樋、賞球払出装置等の裏部品が装着された機構板を外枠の一側に開閉可能に取り付けるようにしたことを特徴とするパチンコ遊技機。
【請求項３】
前記透明部材が透明部材保持枠に装着されており、該透明部材保持枠が遊技盤取付枠体に開閉可能に取り付けられている請求項１又は請求項２記載のパチンコ遊技機。
【請求項４】
前記遊技盤が遊技盤取付枠体に開閉可能に取り付けられている請求項１乃至請求項３記載のパチンコ遊技機。
【発明の詳細な説明】
【０００１】
【発明の属する技術分野】
本発明は、パチンコ遊技機に関し、特に組み付け工程を簡略化すると共に、リサイクルや廃棄処分が容易に可能なパチンコ遊技機に関するものである。
【０００２】
【従来の技術】
従来のパチンコ遊技機は、周知のように矩形状に枠組形成された外枠と，該外枠の一側に開閉自在に取り付けられる額縁状の前面枠とを有し、該前面枠の裏面に遊技盤保持枠を介して遊技盤が着脱自在に装着されている。また，前面枠の前面上部には遊技盤の遊技領域を覆うガラス板等の透明部材保持枠と、打球供給用の上球受皿を有する前面板が開閉自在に設けられており、さらに前面枠の前面下部には上球受皿から溢れ出る賞球を貯留するための下球受皿や打球発射用の操作ハンドル等が設けられている。一方、遊技盤の下端を受ける遊技盤保持枠の腰板部前面には発射レールが設けられ、前面枠の裏面下部に発射レールの発射位置に臨む打球杆や、該打球杆の駆動源としてのモータ或いはソレノイド等からなる打球発射機構が設けられている。
【０００３】
【発明が解決しようとする課題】
上記のような従来のパチンコ遊技機によれば、遊技盤保持枠、透明部材保持枠、前面板や打球杆および該打球杆の駆動源としてのモータやソレノイド等からなる打球発射機構等パチンコ遊技機の主要構成部品が前面枠に集約して組み付けられている所謂前面枠主体の構造であるためどうしても組み付け工程が煩雑にならざるを得なかった。一方、最近では産業廃棄物の処理問題が大きく取り上げられておりパチンコ遊技機にあってもその解決策がいろいろ検討されているところである。しかし、上述したように主要構成部品が前面枠に集約して組み付けられている前面枠主体の従来のパチンコ遊技機にあっては、例えば透明部材保持枠、発射レール、打球発射機構等の遊技構成部品を前面枠から分離して廃棄処分する際にその解体作業が容易でなくコストが掛かりすぎたり、遊技構成部品をリサイクルしたりする場合にも問題が多いとされていた。
【０００４】
本発明は上記のような問題点に鑑みてなされたもので、その目的とするところは、各遊技構成部品をセット化して外枠に組み付けることにより、外枠主体の構造として組み付け工程を簡略化すると共に、前面枠を不要として廃棄処分やリサイクルに好適なパチンコ遊技機を提供しようとするものである。
【０００５】
【課題を解決するための手段】
上記した目的を達成するために、請求項１に係る発明は、矩形状に形成された外枠の下方部に板状部を設けて打球発射装置、発射レ―ル、合流シュート樋を取り付けると共に裏面側に遊技盤が装着され、かつ遊技盤の遊技領域が透視できる開口部および該開口部を覆う透明部材を有する遊技盤取付枠体と上球受皿および下球受皿が設けられた前面板とを、前記外枠の前面一側であって、その上下に開閉自在に取り付け、さらに貯留タンク、球誘導樋、賞球払出装置等の裏部品が装着された機構板を外枠の一側に開閉可能に取り付けるようにしたことを特徴とする。
【０００６】
また、請求項２に係る発明は、請求項１に係る発明であって、前記透明部材が透明部材保持枠に装着されており、該透明部材保持枠が遊技盤取付枠体に開閉可能に取り付けられていることを特徴とする。
【０００７】
さらに、請求項３に係る発明は、請求項１又は請求項２に記載の発明であって、前記遊技盤が遊技盤取付枠体に開閉可能に取り付けられていることを特徴とする。
【０００８】
そして、請求項１に係る発明によれば、打球発射装置、発射レ―ル、合流シュート樋等を外枠に取り付けると共に遊技盤取付枠体と遊技盤と透明部材および上球受皿と下球受皿と前面板とをそれぞれセット化して外枠に直接に取り付け、さらに貯留タンク、球誘導樋、賞球払出装置等の裏部品が装着された機構板を外枠に取り付けることによってパチンコ遊技機を組み付けることが可能となる。これによって、前面枠が不要となって無駄がなくなると共に、各遊技構成部品の組み付け工程を簡略化することができる。また、各遊技構成部品の分離解体が容易となり廃棄処分やリサイクルするのに好都合となる。
【０００９】
また、請求項２に係る発明によれば、透明部材保持枠を開放することにより遊技盤面の釘調整や拭き掃除等を従来パチンコ遊技機と同じように行うことができ、請求項３に係る発明によれば、遊技盤取付枠体を開くことによって遊技盤を容易に交換することが可能となる。
【００１０】
【発明の実施の形態】
次に、図面を参照して本発明の一実施の形態を説明する。図１はパチンコ遊技機の正面図、図２は遊技盤取付枠体と前面板を開いた状態の斜視図、図３は分解斜視図である。図において、１は縦長な方形状に枠組み形成される外枠、２は遊技盤取付枠体、３は前面板であって、遊技盤取付枠体２と前面板３とがヒンジ機構によって外枠１の前面一側であり、その上下に着脱及び前方へ開閉自在に取り付けられている。前記ヒンジ機構は図３に示すように外枠１の一側上下部と略中間位置に固着され、かつヒンジ軸４を有する固定金具４ａと遊技盤取付枠体２及び前面板３の一側上下部に固着され、かつ軸受孔５を有する可動金具５ａとで構成されるもので、可動金具５ａの軸受孔５を固定金具４ａのヒンジ軸４に上方から嵌合させることにより容易に取り付け可能な構造である。また、前記遊技盤取付枠体２は、外枠１の上半部分を全幅にわたって覆う大きさに形成され、前面板３は遊技盤取付枠体２の下方であって、外枠１の下半部分を全幅にわたって覆う大きさに形成されており、遊技盤取付枠体２と前面板３とを閉じた状態において外枠１の前面開放部をすべて塞ぐようになっている。これによって、従来パチンコ遊技機の前面枠を不要としている。
【００１１】
６は遊技盤であって、その上下一側に下向きのヒンジ軸７を有する可動金具７ａ、７ａが固着されており、図４に示すように前記遊技盤取付枠体２の裏面一側に設けられた上下のヒンジ金具８ａ，８ａの軸受孔８，８にヒンジ軸７を上方からそれぞれ嵌合させることによって遊技盤取付枠体２の裏面一側に着脱及び開閉自在に取り付けられている。また、遊技盤取付枠体２の中央部に遊技盤６の遊技領域が視認可能な方形状の開口９が形成され、その開口９の内周に透明部材としてのガラス板１０が嵌合保持されている。前記遊技盤取付枠体２は開放側側辺に設けられた錠装置１１によって外枠１に施錠されるようになっており、遊技盤６は自由端側が外枠１に対し適宜なクランプ金具等で係脱自在に止着されるようになっている。このため、遊技盤取付枠体２は開錠することによって遊技盤６と関係なく単独で自由に開放することができ、また、遊技盤６の係止を解除することによって該遊技盤６と一体に前方へ開くことができるようになっている。
【００１２】
前記前面板３の前面には、打球供給用の上球受皿１２と該上球受皿１２の余剰球を貯留する下球受皿１３が上下に設けられており、その側方に打球発射用の操作ハンドル１５が設けられている。そして、裏面の開放側側辺に設けられた図示しない係止金具を外枠１に係止することによって外枠１の前面に閉止されるようになっている。
【００１３】
一方、前記外枠１の下方部であり、前面板３の後方位置に板状部１４が一体的に設けられており、その板状部１４に打球発射装置１６と合流シュート樋１７がそれぞれ取り外し自在に装着されている。また、外枠１の一側内面に軸受孔１８を有する固定ヒンジ金具１８ａ，１８ａが上下に設けられており、該固定ヒンジ金具１８ａ，１８ａの軸受孔１８、１８に機構板２０の上下一側に固着された可動金具１９ａ、１９ａの下向きのヒンジ軸１９を上方から嵌合させ、それによって機構板２０を外枠１に対し着脱及び後方へ開閉自在に取り付けている。この機構板２０は、上部に貯留球タンク２１、該貯留球タンク２１に貯留された球を下流側に整列しながら誘導する球誘導樋２２、賞球払出装置２３、該賞球払出装置２３から払い出された賞球を前面板３の上球受皿１２に導く賞球排出通路２４等の裏部品が設けられた周知のものであり、遊技盤６の裏面に密着させて該遊技盤６とともに外枠１に対し適宜なクランプ金具等で狭圧固定されるようになっている。
【００１４】
前記打球打球発射装置１６は図５に示すように発射レール２５と、該発射レール２５の発射位置に臨む打球杆２６と、該打球杆２６の駆動源としてのロータリーソレノイド２７と、打球杆２６の発射動作に連動して前面板３の上球受皿１２に貯留される打球を１個ずつ発射レール２５の発射位置に供給する自動球送り装置２８とをそれぞれ板状の保持体２９に一体に組付けてユニット化されている。そして、図３に示すように板状部１４に貫通形成された円形状取付孔３０にロータリーソレノイド２７を前面側から臨ませると共に、保持体２９の裏面側に突設された複数の嵌合突起（図示せず）を板状部１４に穿設された係合孔３１に係合させることによって、打球発射装置１６が板状部１４にビス止めすることなくワンタッチで強固に取り付けられるようになっている。
【００１５】
前記合流シュート樋１７は図６に示すようにその上部位置にファール球を受けるファール球受皿部３２と、前面板３の開放時に零れ落ちる賞球を受ける賞球受皿部３３が隔壁によりそれぞれ分離して設けられており、ファール球受皿部３２と連通状にファール球誘導通路３４が、賞球受皿部３３と連通状に零れ球誘導通路３５がそれぞれ互いに独立して設けられている。また、上球受皿１２の余剰球を下球受皿１３に誘導する余剰球誘導通路３６等が設けられている。そして、図３に示すように板状部１４に貫通形成されたほぼ四角状取付孔３７に合流シュート樋１７の後部分を前面側から臨ませると共に、複数の後向き係止爪（図示せず）を板状部１４に穿設された係合溝３８に係止させることによって、合流シュート樋１７が板状部１４にビス止めすることなくワンタッチで強固に取り付けられるようになっている。
【００１６】
上記のように構成される本発明によれば、外枠１の板状部１４に打球発射装置１６と合流シュート樋１７とを取り付け、遊技盤６及び透明部材としてのガラス板１０を備えさせてセット化した遊技盤取付枠体２と、上球受皿１２及び下球受皿１３を備えさせてセット化した前面板３とを外枠１の前面一側に着脱及び前方へ開閉自在に取り付け、さらに外枠１の一側内面に機構板２０を着脱及び後方へ開閉自在に取り付けることにより、上球受皿１２の球出口３９と打球発射装置１６の自動球送り装置２８とが一致して上球受皿１２に貯留される打球が１個ずつ確実に発射レール２５の発射位置に供給されると共に、前面板３の上球受皿１２及び下球受皿１３とが合流シュート樋１７を介して互いに連通されてファール球、零れ球、上球受皿１２の余剰球が上球受皿１２又は下球受皿１３のいずれかに導かれることになり、さらに機構板２０の賞球排出通路２４と上球受皿１２の賞球導入部４０とが連通されて賞球払出装置２３から払い出される賞球が前面板３の上球受皿１２に導かれるもので、簡単にパチンコ遊技機を組み付けることができると共に従来パチンコ遊技機の前面枠を不要とすることができて無駄を省くことができる。
【００１７】
また、遊技盤取付枠体２を開錠すると共に、遊技盤６の係止を解除して遊技盤取付枠体２を遊技盤６と一体に前方へ開くことによって簡単に遊技盤６を交換することができ、しかもセット化された遊技盤取付枠体２、前面板３及び機構板２０をそれぞれ外枠１から容易に分離解体することができるため廃棄処分やリサイクルするのに好都合となる。
【００１８】
なお、前記実施の形態では遊技盤取付枠体２の開口９の内周に透明部材としてのガラス板１０を直接に嵌合保持する構成として説明したが、図７に示すようにガラス板１０を透明部材保持枠４１に装着し、該透明部材保持枠４１を遊技盤取付枠体２の開口９の一側縁に開閉可能に取り付けるようにしてもよい。このように構成することにより遊技盤６の釘調整や拭き掃除等の作業がさらに容易となる。
【００１９】
【発明の効果】
以上説明したように、請求項１の発明によれば、打球発射装置、発射レ―ル、合流シュート樋等を外枠に取り付けると共に遊技盤取付枠体、遊技盤、透明部材等の各遊技構成部品および上球受皿、下球受皿、前面板等の各遊技構成部品をそれぞれセット化して外枠に直接に取り付け、さらに貯留タンク、球誘導樋、賞球払出装置等の裏部品が装着された機構板を外枠に取り付けることにより該外枠主体の構造としてパチンコ遊技機を組み付けるようにしたものであるから、組み付け工程を簡略化することができて組立コストを安くすることができると共に前面枠が不要となって無駄がなくなり、さらに各遊技構成部品の分離解体が容易となり廃棄処分やリサイクルするのに好都合となる。
【図面の簡単な説明】
【図１】パチンコ遊技機の正面図である。
【図２】遊技盤取付枠体と前面板を開いた状態の斜視図である。
【図３】図１のパチンコ遊技機の分解斜視図である。
【図４】遊技盤取付枠体と遊技盤の取り付け状態を示す斜視図である。
【図５】打球発射装置の斜視図である。
【図６】合流シュート樋の斜視図である。
【図７】遊技盤取付枠体と前面板を開いた状態の他の実施の形態の斜視図である。
【符号の説明】
１          外枠
２          遊技盤取付枠体
３          前面板
６          遊技盤
９          開口
１０        ガラス板（透明部材）
１２        上球受皿
１３        下球受皿
１４        板状部
１６        打球発射装置
１７        合流シュート樋
２０        機構板
２１        貯留球タンク
２２        球誘導樋
２３        賞球払出装置
２５        発射レール
【図１】
0003914375.tif 000002
【図２】
0003914375.tif 000003
【図３】
0003914375.tif 000004
【図４】
0003914375.tif 000005
【図５】
0003914375.tif 000006
【図６】
0003914375.tif 000007
【図７】
0003914375.tif 000008